(57)【要約】【課題】一対のポール本体のうちの一方を、ほぼ水平な姿勢で格納ボックスに収容される倒伏姿勢またはほぼ垂直に立つ起立姿勢になるように切り換えるための作業を容易に、しかも迅速に行うことができる可動式ポールを提供する。【解決手段】ポール本体１１ａに手を掛けて、支持軸３２ｂを支点として時計回りの方向へほぼ９０度回動させてほぼ水平な姿勢で格納ボックス３に収容される倒伏姿勢にする。この際にポール本体１１ａと共に支持軸３２ｂが時計回りの方向へ回転し、この支持軸３２ｂと共に大径ギア３４ａが時計回りの方向へほぼ９０度回転する。この大径ギア３４ａの回転力は連結板４２を介して大径ギア３４ｂへ伝達され、大径ギア３４ｂと共に支持軸３２ｂが反時計回りの方向へ回転する。これによりポール本体１１ｂが反時計回りの方向へ回動して、ポール本体１１ａと連動してほぼ水平な姿勢で格納ボックス３に収容される倒伏姿勢となる。【選択図】        図１
2007239357.tif 000002
【特許請求の範囲】
【請求項１】
上面開口が地面から露出するように地中に埋設される格納ボックスと、前記格納ボックスに収容され、ほぼ水平な姿勢で格納ボックスに収容される倒伏姿勢とほぼ垂直に立つ起立姿勢とに切り換えできるポール本体と、前記一対のポール本体の一方を倒伏姿勢または起立姿勢になるように切り換え動作させると、他方も倒伏姿勢または起立姿勢になるように切り換え動作させる連動手段が設けられていることを特徴とする可動式ポール。
【請求項２】
請求項１に記載した可動式ポールおいて、一対のポール本体はそれぞれの基端部に固定された回動軸を支点として回動し倒伏姿勢または起立姿勢とに切り換えられることを特徴とする可動式ポール。
【請求項３】
請求項２に記載した可動式ポールおいて、連動手段は、一対の回動軸にそれぞれ固定され回動軸と共に回動する回動体と、前記一対の回動体に渡設され一方の回動体の回動力を他方の回動体に伝達する回動力伝達部材とによって構成されていることを特徴とする可動式ポール。
【請求項４】
請求項３に記載した可動式ポールおいて、回動力伝達部材は一対の回動体に回動自在に連結された剛性体であることを特徴とする可動式ポール。
【請求項５】
請求項１から４のいずれかに記載した可動式ポールにおいて、一対のポール本体が起立姿勢になると格納ボックスの上面開口を閉鎖する蓋体が備えられており、一対のポールが倒伏姿勢から起立姿勢になるように切り換えられる動作に連動して蓋体を格納ボックスの上面開口を閉鎖する位置に動作させ、一対のポールが起立姿勢から倒伏姿勢になるように切り換えられる動作に連動して蓋体を格納ボックスの上面開口を開放する位置に動作させる蓋体駆動手段を具備することを特徴とする可動式ポール。
【請求項６】
請求項５に記載した可動式ポールにおいて、一対のポールが起立姿勢から倒伏姿勢になると、開放された格納ボックスの上面開口を倒伏姿勢となった一対のポールが閉鎖することを特徴とする可動式ポール。
【請求項７】
請求項５または６に記載した可動式ポールにおいて、蓋体は格納ボックスにほぼ水平姿勢で備えられ、且つほぼ水平姿勢を保ったまま格納ボックスの上面開口を閉鎖する状態と開放する状態とに上下動するものであることを特徴とする可動式ポール。
【請求項８】
請求項１から７のいずれかに記載した可動式ポールにおいて、一対のポールは互いに逆方向へ回動して倒伏姿勢と起立姿勢とに切り換えられることを特徴とする可動式ポール。
【発明の詳細な説明】
【技術分野】
【０００１】
本発明は自動車の進入規制等のために使用される可動式ポールに係り、特に回動して倒伏姿勢と起立姿勢とになる可動式ポールに関するものである。
【背景技術】
【０００２】
可動式ポールは一般家庭、会社等の門柱として、公園や駐車場等において車両の侵入を防止したり、駐車スペースを規制したりする駐車場ポールとして広く使用されている。このような可動式ポールにはポール本体が垂直姿勢を保ったまま地中に設けた格納穴を出入りする昇降式のものが一般的である。
可動式ポールは配置場所の間口等に応じた数が備えられる。特に公園や不特定多数の者が利用する駐車場等においては多数備えられており、必要に応じて係員が昇降させている。
【発明の開示】
【発明が解決しようとする課題】
【０００３】
しかしながら、昇降式の可動式ポールを１本ずつ人力でいちいち昇降させる作業はかなり大変であるばかりか、時間がかかり迅速な作業を行うことができないという問題がある。
本発明は上記従来の問題点に着目して為されたものであり、一対のポール本体のうちの一方を、ほぼ水平な姿勢で格納ボックスに収容される倒伏姿勢またはほぼ垂直に立つ起立姿勢になるように切り換えるための作業を容易に、しかも迅速に行うことができる可動式ポールを提供することを目的とする。
【課題を解決するための手段】
【０００４】
本発明は上記課題を解決するためになされたものであり、請求項１の発明は、上面開口が地面から露出するように地中に埋設される格納ボックスと、前記格納ボックスに収容され、ほぼ水平な姿勢で格納ボックスに収容される倒伏姿勢とほぼ垂直に立つ起立姿勢とに切り換えできるポール本体と、前記一対のポール本体の一方を倒伏姿勢または起立姿勢になるように切り換え動作させると他方も倒伏姿勢または起立姿勢になるように切り換え動作させる連動手段が設けられていることを特徴とする可動式ポールである。
【０００５】
請求項２の発明は、請求項１に記載した可動式ポールおいて、一対のポール本体はそれぞれの基端部に固定された回動軸を支点として回動し倒伏姿勢または起立姿勢とに切り換えられることを特徴とする可動式ポールである。
【０００６】
請求項３の発明は、請求項２に記載した可動式ポールおいて、連動手段は、一対の回動軸にそれぞれ固定され回動軸と共に回動する回動体と、前記一対の回動体に渡設され一方の回動体の回動力を他方の回動体に伝達する回動力伝達部材とによって構成されていることを特徴とする可動式ポールである。
【０００７】
請求項４の発明は、請求項３に記載した可動式ポールおいて、回動力伝達部材は一対の回動体に回動自在に連結された剛性体であることを特徴とする可動式ポールである。
【０００８】
請求項５の発明はで、請求項１から４のいずれかに記載した可動式ポールにおいて、一対のポール本体が起立姿勢になると格納ボックスの上面開口を閉鎖する蓋体が備えられており、一対のポールが倒伏姿勢から起立姿勢になるように切り換えられる動作に連動して蓋体を格納ボックスの上面開口を閉鎖する位置に動作させ、一対のポールが起立姿勢から倒伏姿勢になるように切り換えられる動作に連動して蓋体を格納ボックスの上面開口を開放する位置に動作させる蓋体駆動手段を具備することを特徴とする可動式ポールである。
【０００９】
請求項６の発明は、請求項５に記載した可動式ポールにおいて、一対のポールが起立姿勢から倒伏姿勢になると、開放された格納ボックスの上面開口を倒伏姿勢となった一対のポールが閉鎖することを特徴とする可動式ポールである。
【００１０】
請求項７の発明は、請求項５または６に記載した可動式ポールにおいて、蓋体は格納ボックスにほぼ水平姿勢で備えられ、且つほぼ水平姿勢を保ったまま格納ボックスの上面開口を閉鎖する状態と開放する状態とに上下動するものであることを特徴とする可動式ポールである。
【００１１】
請求項８の発明は、請求項１から７のいずれかに記載した可動式ポールにおいて、一対のポールは互いに逆方向へ回動して倒伏姿勢と起立姿勢とに切り換えられることを特徴とする可動式ポールである。
【発明の効果】
【００１２】
本発明の可動式ポールでは、一対のポール本体のうちの一方を、ほぼ水平な姿勢で格納ボックスに収容される倒伏姿勢またはほぼ垂直に立つ起立姿勢になるように切り換え動作させると他方も倒伏姿勢または起立姿勢になるように切り換え動作できる。従って、ポール本体を倒伏姿勢と起立姿勢と切り換えるための作業を容易に、しかも迅速に行うことが可能となる。
【発明を実施するための最良の形態】
【００１３】
本発明の実施の形態に係る可動式ポール１を図面にしたがって説明する。この可動式ポール１は、図８、図９、図１１を正面とした左右方向の中心を境にした左右対称構造となっている。なお、本明細書において左右方向、時計回りの方向、反時計回りの方向という場合は図８、図９、図１１を正面とした方向とする。
図１において符号３は格納ボックスを示し、この格納ボックス３は奥行寸法の長い浅底の角箱状の部材である。格納ボックス３の上面は開放されており、その開放部位が上面開口５となっている。また、上面開口５の周囲にはフランジ７が設けられている。
【００１４】
格納ボックス３にはフレーム９、一対のポール本体１１ａ、１１ｂ等が収容されている。フレーム９は断面がほぼ「コ」の字状に形成されており、底部１５とこの底部１５に一体に形成され垂直に立つ側部１７、１９とを有している。側部１７の両端部には上部が開口する切り欠き２１が形成され、また側部１９の両端部にも同様に切り欠き２３が形成されている。切り欠き２１と切り欠き２３とは互いに対向している。
フレーム９の側部１７の左端部にはギアベース２５ａが、右端部にはギアベース２５ｂが取り付けられ、中央部にはギアベース２９が取り付けられている。また、フレーム９の側部１９の左端部にはプーリベース３１ａが、右端部には３１ｂが取り付けられ、中央部にはプーリベース３５が取り付けられている。ギアベース２５ａ、２５ｂはプーリベース３１ａ、３１ｂにそれぞれ対向し、ギアベース２９はプーリベース３５に対向している。
【００１５】
ギアベース２５ａ、２５ｂには上部が開口する切り欠き２６がそれぞれ形成され、切り欠き２６は側部１７の切り欠き２１に一部が重なり連なっている。また、プーリベース３１ａ、３１ｂには上部が開口する切り欠き２８が形成され、切り欠き２８は側部１９の切り欠き２３に一部が重なり連なっている（図７参照）。
【００１６】
上記したように可動式ポール１は左右対称構造であるので、以下に説明する一対のポール本体１１ａ、１１ｂ、ギアベース２５ａ、２５ｂに備えられるギア等、プーリベース３１ａ、３１ｂに備えられるプーリ等についてはポール本体１１ａ、ギアベース２５ａ、プーリベース３１ａ等の左側に配置される部材についてのみ説明し、左側に配置される部材と対称構造を有する右側の部材についてはその説明を省略する。そして、左側の部材と対称構造の右側の部材を示す符号として同じ数字を用い、両者を区別するため左側の部材については数字の後「ａ」を右側の部材について数字の後に「ｂ」を付記する。
【００１７】
ポール本体１１ａの後述する倒伏姿勢において上側となる面には取っ手２７ａが設けられている。取っ手２７ａはポール本体１１ａに形成された凹部内に収容される構造となっている。
ポール本体１１ａの基端部には切り欠き１２ａが形成されている。さらにポール本体１１ａの切り欠き１２ａの下側には支持軸３２ａがそれぞれ固定されている。支持軸３２ａはギアベース２５ａの切り欠き２６とプーリベース３１ａの切り欠き２８に回動自在にはめられている。
【００１８】
支持軸３２ａの一端部には大径ギア３４ａが固定されている。大径ギア３４ａ、３４ｂの偏心位置には取付軸３６ａ、３６ｂが設けられており、この取付軸３６ａと取付軸３６ｂには剛性体である長尺の板材から成る連結板４２が回動自在に連結されている。即ち、連結板４２が一対の取付軸３６ａ、３６ｂに渡設されている。
これら回動体としての大径ギア３４ａ、３４ｂ、取付軸３６ａ、３６ｂ及び回動力伝達部材としての連結板４２によって連動手段が構成されている。
【００１９】
蓋体駆動手段の構成について説明する。
図５に詳細に示すように、ギアベース２５ａの外面側には３つの小径ギア３７ａ、３８ａ、３９ａが回転自在に且つ並んで配置されており、上述の大径ギア３４ａはギア３７ａと噛み合い、さらにギア３７ａとギア３８ａ、ギア３８ａとギア３９ａが噛み合っている。ギア３９ａが固定された回転軸４０ａはギアベース２５ａの内面側に突出しており、この突出部分に回動プレート４１ａの基端部が固定されている。
【００２０】
図５、図７に示すように、プーリベース３１ａの外面側にはプーリ４７ａが回転軸４９ａに固定されて備えられている。回転軸４９ａはプーリベース３１ａの内面側に突出しており、この突出部分に回動プレート５１ａの基端部が固定されている。
回動プレート５１ａの先端部と回動プレート４１ａの先端部とには連結シャフト５３ａが渡設されている。
【００２１】
図６に詳細に示すように、ギアベース２９の外面側には一対の大径ギア３３ａ、３３ｂが互いに噛み合い、且つ回転自在に配置されている。大径ギア３３ａ、３３ｂがそれぞれ固定された回転軸４３ａ、４３ｂはギアベース２９の内面側に突出しており、この突出部分に回動プレート６６ａ、６６ｂの基端部がそれぞれ固定されている。
【００２２】
プーリベース３５の外面側にはプーリ６５ａ、６５ｂが回転軸６７ａ、６７ｂに固定されて備えられている。プーリ６５ａとプーリベース３１ａのプーリ４７ａとにはベルト６４ａが掛け渡されている。また、プーリ６５ｂとプーリベース３１ｂのプーリ４７ｂとにはベルト６４ｂが掛け渡されている。
また回転軸６７ａ、６７ｂの一端部はプーリベース３５の内面側へ突出しており、これらの突出部分に回動プレート６８ａ、６８ｂの基端部がそれぞれ固定されている。
【００２３】
回動プレート６６ａの先端部と回動プレート６８ａの先端部とには連結シャフト７１ａが渡設されている。また、回動プレート６６ｂの先端部と回動プレート６８ｂの先端部とには連結シャフト７１ｂが渡設されている。
連結シャフト７１ａと連結シャフト５３ａとには一対の押し上げプレート７３ａが回動自在に渡設されている。また、一対の連結シャフト７１ｂと連結シャフト５３ｂとには押し上げプレート７３ｂが回動自在に渡設されている。
以上のように蓋体駆動手段が構成されている。
【００２４】
フレーム９の側部１７、１９の内側面には垂直に延びるガイドレール５６が２本ずつ固定されている。
符号５７は蓋体を示し、この蓋体５７は長寸法の長方形で格納ボックス３の上面開口５にはまる大きさに設定されている。また、蓋体５７の前後部には２本の摺接ピン５９がそれぞれ設けられており、摺接ピン５９は外側へ向かって突出している。蓋体５７はフレーム９に上下動自在に収容されており、また摺接ピン５９はフレーム９に固定されたガイドレール５６内側面に接触している。蓋体５７は、その下面が押し上げプレート７３ａ、７３ｂに連結されている。
【００２５】
次に可動式ポール１の動作について説明する。
格納ボックス３は上面開口５が地面から露出するように地中に埋設される。
図１、図２、図８に示すようにほぼ水平な姿勢で格納ボックス３に収容された倒伏姿勢となっている一対のポール本体１１ａ、１１ｂのうちの一方、例えばポール本体１１ａを、取っ手２７ａに手を掛けて、支持軸３２ａを支点として図９、図１０に示すように反時計回りの方向へほぼ９０度回動させてほぼ垂直に立つ起立姿勢にする。これによりポール本体１１ａと共に支持軸３２ａが反時計回りの方向へ回転し、支持軸３２ａと共に大径ギア３４ａが反時計回りの方向へほぼ９０度回転して、連結板４２は図８に示す状態から図９に示すように僅かに回動しながら右側へ移動し、図１１に示すようにほぼ水平な姿勢となる。これにより大径ギア３４ａの回転力は取付軸３６ａ、連結板４２及び取付軸３６ｂを介して大径ギア３４ｂへ伝達され、大径ギア３４ｂと共に支持軸３２ｂが時計回りの方向へ回転する。そして、ポール本体１１ｂが時計回りの方向へ回動して、ポール本体１１ａと連動してほぼ垂直に立つ起立姿勢となる。
【００２６】
また、大径ギア３４ａが反時計回りの方向へ回転すると、小径ギア３７ａが時計回りの方向へ、小径ギア３８ａが反時計回りの方向へ回転する。そして小径ギア３９ａと共に回転軸４０ａが時計回りの方向へ回転して、これにより回動プレート４１ａ、連結シャフト５３ａ及び回動プレート５１ａが時計回りの方向へ回動する。そして、回動プレート５１ａの回動により、回転軸４９ａと共にプーリ４７ａが時計回りの方向へ回転する。
【００２７】
プーリ４７ａの回転力はベルト６４ａを介してプーリ６５ａに伝達され、プーリ６５ａと共に回転軸６７ａが回転する。これにより回動プレート６８ａ、連結シャフト７１ａ及び回動プレート６６ａが時計回りの方向へほぼ９０度回動して図６に示す姿勢となる。
【００２８】
上記したようにポール本体１１ｂは、ポール本体１１ａと連動し時計回りの方向へ回動してほぼ垂直に立つ起立姿勢となるので、支持軸３２ｂに固定された大径ギア３４ｂが時計回りの方向へ回転する。これにより小径ギア３７ｂが反時計回りの方向へ、小径ギア３８ｂが時計回りの方向へ回転する。
そして小径ギア３９ｂと共に回転軸４０ｂが反時計回りの方向へ回転して、これにより回動プレート４１ｂ、連結シャフト５３ｂ及び回動プレート５１ｂが回動する。回動プレート５１ｂの回動により、回転軸４９ｂと共にプーリ４７ｂが反時計回りの方向へ回転する。
【００２９】
プーリ４７ｂの回転力はベルト６４ｂを介してプーリ６５ｂに伝達され、プーリ６５ｂと共に回転軸６７ｂが回転する。これにより回動プレート６８ｂ、連結シャフト７１ｂ及び回動プレート６６ｂが反時計回りの方向へほぼ９０度回動する。
大径ギア３３ａと大径ギア３３ｂとは噛み合っているので、回動プレート４１ａ、５１ａ、６６ａ、６８ａの時計回りの方向への回動と、回動プレート４１ｂ、５１ｂ、６６ｂ、６８ｂの反時計回りの方向への回動とは同期して行われる。
【００３０】
回動プレート４１ａ、５１ａ、６６ａ、６８ａの時計回りの方向への回動により、押し上げプレート７３ａが時計回りの方向へ回動しながら上昇する。また、回動プレート４１ｂ、５１ｂ、６６ｂ、６８ｂが反時計回りの方向への回動により、押し上げプレート７３ｂが反時計回りの方向へ回動しながら上昇する。そして、押し上げプレート７３ａ、７３ｂによって蓋体５７が上昇させられ、蓋体５７が格納ボックス３の上部開口５を閉鎖する位置に動作させられる。この際、摺接ピン５９がガイドレール５６に摺接するので、蓋体５７は水平姿勢を保ったまま上昇して、図４、図１１、図１２に示す状態となる。
なお、一対のポール本体１１ａ、１１ｂの基端部には切り欠き１２ａ、１２ｂが形成されているので、蓋体５７の左右端部がポール本体１１ａ、１１ｂに接触するのを逃げることができる。
【００３１】
一対のポール本体１１ａ、１１ｂを起立姿勢から倒伏姿勢に切り替える場合には、ポール本体１１ａ、１１ｂのうちの一方、例えばポール本体１１ａに手を掛けて、支持軸３２ａを支点として図９、図１０に示すように時計回りの方向へほぼ９０度回動させてほぼ水平な姿勢で格納ボックス３に収容される倒伏姿勢にする。この際にポール本体１１ａと共に支持軸３２ａが時計回りの方向へ回転し、この支持軸３２ａと共に大径ギア３４ａが時計回りの方向へほぼ９０度回転する。この大径ギア３４ａの回転力は連結板４２を介して大径ギア３４ｂへ伝達され、大径ギア３４ｂと共に支持軸３２ｂが反時計回りの方向へ回転する。これによりポール本体１１ｂが反時計回りの方向へ回動して、ポール本体１１ａと連動してほぼ水平な姿勢で格納ボックス３に収容される倒伏姿勢となる。
【００３２】
ポール本体１１ａ、１１ｂが起立姿勢から倒伏姿勢へ切り替わる際には、支持軸３２ａと共に大径ギア３４ａが時計回りの方向へ回転する。大径ギア３４ａが時計回りの方向へ回転すると、小径ギア３７ａが反時計回りの方向へ、小径ギア３８ａが時計回りの方向へ回転する。そして小径ギア３９ａと共に回転軸４０ａが反時計回りの方向へ回転して、これにより回動プレート４１ａ、連結シャフト５３ａ及び回動プレート５１ａが回動する。回動プレート５１ａの回動により、回転軸４９ａと共にプーリ４７ａが反時計回りの方向へ回転する。
【００３３】
プーリ４７ａの回転力はベルト６４ａを介してプーリ６５ａに伝達され、プーリ６５ａと共に回転軸６７ａが回転する。これにより回動プレート６８ａ、連結シャフト７１ａ及び回動プレート６６ａが反時計回りの方向へほぼ９０度回動する。
【００３４】
ポール本体１１ａが時計回りの方向へ回動すると、この回動力が連結板４２を介してポール本体１１ｂに伝達され反時計回りの方向へ回動して倒伏姿勢となる。ポール本体１１ｂの反時計回りの方向への回動により、支持軸３２ｂに固定された大径ギア３４ｂが反時計回りの方向へ回転する。これにより小径ギア３７ｂが時計回りの方向へ、小径ギア３８ｂが反時計回りの方向へ回転する。そして小径ギア３９ｂと共に回転軸４０ｂが時計回りの方向へ回転して、回動プレート４１ｂ、連結シャフト５３ｂ及び回動プレート５１ｂが時計回りの方向へ回動する。回動プレート５１ｂの回動により、回転軸４９ｂと共にプーリ４７ｂが時計回りの方向へ回転する。
【００３５】
プーリ４７ｂの回転力はベルト６４ｂを介してプーリ６５ｂに伝達され、プーリ６５ｂと共に回転軸６７ｂが時計回りの方向へ回転する。これにより回動プレート６８ｂ、連結シャフト７１ｂ及び回動プレート６６ｂが時計回りの方向へほぼ９０度回動する。
大径ギア３３ａと大径ギア３３ｂとは噛み合っているので、回動プレート４１ａ、５１ａ、６６ａ、６８ａの反時計回りの方向への回動と、回動プレート４１ｂ、５１ｂ、６６ｂ、６８ｂの時計回りの方向への回動とは同期して行われる。
【００３６】
回動プレート４１ａ、５１ａ、６６ａ、６８ａの反時計回りの方向への回動により、押し上げプレート７３ａが反時計回りの方向へ回動しながら下降する。また、回動プレート４１ｂ、５１ｂ、６６ｂ、６８ｂの時計回りの方向への回動により、押し上げプレート７３ｂが時計回りの方向へ回動しながら下降する。これにより、押し上げプレート７３ａ、７３ｂ共に蓋体５７が下降して格納ボックス３の上面開口５が開放される。この際、摺接ピン５９がガイドレール５６に摺接するので、蓋体５７は水平姿勢を保ったまま下降する。そして、一対のポール本体１１ａ、１１ｂが格納ボックス３の上部開口５を閉鎖する。
上記動作において、ポール本体１１ａに手を掛けて起立姿勢と倒伏姿勢とに切り替えたが、ポール本体１１ｂに手を掛けて起立姿勢と倒伏姿勢とに切り替えれば、これにポール本体１１ａが連動して起立姿勢と倒伏姿勢とに切り替えられる。
【００３７】
上記のように可動式ポール１では、一対のポール本体１１ａ、１１ｂのうちの一方を、ほぼ水平な姿勢で格納ボックス３に収容される倒伏姿勢またはほぼ垂直に立つ起立姿勢になるように切り換えるための作業を容易に、しかも迅速に行うことができる。
また、可動式ポール１では、ポール本体１１ａ、１１ｂが基端部に設けられた支持軸３２ａ、３２ｂを支点として互いに逆方向へ回動する構成となっているので、ポール本体１１ａとポール本体１１ｂとの間隔をほぼポール本体１１ａとポール本体１１ｂの高さ分とすることが可能である。
【００３８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、支持軸３２ａと支持軸３２ｂとを連動させるのに大径ギア３４ａと大径ギア３４ｂと連結板４２を用いたが、本発明はこれに限定されず、支持軸３２ａと支持軸３２ｂにプーリを固定して、このプーリにベルトを掛け渡す構成としてもよい。
【図面の簡単な説明】
【００３９】
【図１】本発明の実施の形態に係る可動式ポールの一対のポールが倒伏状態にある斜視図である。
【図２】本発明の実施の形態に係る可動式ポールの格納ボックスを除いた一対のポールが倒伏状態にある斜視図である。
【図３】図２に示した状態から一対のポール本体が約４５度回動した状態の斜視図である。
【図４】本発明の実施の形態に係る可動式ポールの格納ボックスを除いた一対のポールが起立状態にある斜視図である。
【図５】図２の部分拡大斜視図である。
【図６】図２の部分拡大斜視図である。
【図７】図３と同じ状態の背面図である。
【図８】図２と同じ状態にある正面図である。
【図９】図３と同じ状態の正面図である。
【図１０】図３のＡ−Ａ断面図である。
【図１１】図４と同じ状態の正面図である。
【図１２】図４のＢ−Ｂ断面図である。
【符号の説明】
【００４０】
１  可動式ポール      ３  格納ボックス      ５  上面開口
７  フランジ      ９  フレーム      １１ａ、１１ｂ  一対のポール本体
１２ａ、１２ｂ  （ポール本体の）切り欠き
１５  （フレームの）底部      １７、１９（フレームの）側部
２１、２３  （フレームの）切り欠き
２５ａ、２５ｂ  ２９  ギアベース
２７ａ、２７ｂ  取っ手      ２６、２８  切り欠き
３２ａ、３２ｂ  支持軸      ３３ａ、３３ｂ  大径ギア
３１ａ、３１ｂ、３５  プーリベース      ３４ａ、３４ｂ  大径ギア
３７ａ、３８ａ、３９ａ、３７ｂ、３８ｂ、３９ｂ  小径ギア
３６ａ、３６ｂ  取付軸      ４０ａ、４０ｂ  回転軸
４１ａ、４１ｂ、５１ａ、５１ｂ  回動プレート
６６ａ、６６ｂ、６８ａ、６８ｂ  回動プレート
４２  連結板      ４７ａ、４７ｂ  プーリ      ４９ａ、４９ｂ  回動軸
５３ａ、５３ｂ  連結シャフト      ５５ａ、５５ｂ  ポール本体
５６  ガイドレール      ５７  蓋体      ５９  摺接ピン
６１ａ、６１ｂ  大径ギア      ６３ａ、６３ｂ  回転軸
６４ａ、６４ｂ  ベルト      ６５ａ、６５ｂ  プーリ
６７ａ、６７ｂ  回転軸      ６６ａ、６６ｂ、６８ａ、６８ｂ  回動プレート
７１ａ、７１ｂ  連結シャフト      ７３ａ、７３ｂ  押し上げプレート
【図１】
2007239357.tif 000003
【図２】
2007239357.tif 000004
【図３】
2007239357.tif 000005
【図４】
2007239357.tif 000006
【図５】
2007239357.tif 000007
【図６】
2007239357.tif 000008
【図７】
2007239357.tif 000009
【図８】
2007239357.tif 000010
【図９】
2007239357.tif 000011
【図１０】
2007239357.tif 000012
【図１１】
2007239357.tif 000013
【図１２】
2007239357.tif 000014